(57)【要約】【課題】高速パケット伝送網間をＳＯＮＥＴ網を介して接続した情報伝送システムに関し、高速パケット伝送網のインタフェース間情報を伝送する。【解決手段】ＧｂＥインタフェース区間として示す高速パケット伝送網間を、インタフェース部３，４間のＳＯＮＥＴ網又はＳＤＨ網を介して接続し、インタフェース部２，３及び４，５を含むＰＯＳ変換装置により、高速パケット伝送網間のパケットをバーチャル・コンカチネーション方式により複数に分割し、複数のＳＯＮＥＴフレーム又はＳＤＨフレームにより伝送する情報伝送システムに於いて、高速パケット伝送網の警報情報等のインタフェース間情報を、複数のＳＯＮＥＴフレーム又はＳＤＨフレームのポインタ部と対応付け、このポインタ部をＡＩＳ−Ｐ等の警報情報伝送時の状態に操作して、インタフェース間情報を伝送する手段を備えている。【選択図】　　　図１
2004120502.tif 000002
【特許請求の範囲】
【請求項１】
高速パケット伝送網間をＳＯＮＥＴ網又はＳＤＨ網を介して接続し、前記高速パケット伝送網間のパケットをバーチャル・コンカチネーション方式により複数に分割し、分割パケットをそれぞれバーチャル・コンカチネーション信号として複数のＳＯＮＥＴフレーム又はＳＤＨフレームにより伝送する情報伝送システムに於いて、
前記高速パケット伝送網に於ける警報情報等のインタフェース間情報を、前記複数のＳＯＮＥＴフレーム又はＳＤＨフレームのオーバーヘッドのポインタ部と対応付け、該ポインタ部を警報情報伝送時の状態に操作して、前記インタフェース間情報を伝送する手段を備えた
ことを特徴とする情報伝送システム。
【請求項２】
複数種類の前記インタフェース間情報をコード化したコード化情報と、前記複数のＳＯＮＥＴフレーム又はＳＤＨフレームのオーバーヘッドのポインタ部とを対応付けて、該ポインタ部を警報情報伝送時の状態に操作して、前記インタフェース間情報を伝送する手段を備えたことを特徴とする請求項１記載の情報伝送システム。
【請求項３】
複数種類の前記インタフェース間情報と、前記複数のＳＯＮＥＴフレーム又はＳＤＨフレームのオーバーヘッドのポインタ部とを直接的に対応付けて、該ポインタ部を警報情報伝送時の状態に操作して、前記インタフェース間情報を伝送する手段を備えたことを特徴とする請求項１記載の情報伝送システム。
【請求項４】
前記複数種類のインタフェース間情報をコード化するコード処理部と、複数のポインタ部の警報情報伝送時の状態をインタフェース間情報に復元するデコード処理部と、バーチャル・コンカチネーション方式により複数に分割したパケットをそれぞれ複数のＳＯＮＥＴフレーム又はＳＤＨフレームにマッピングする機能及び複数のＳＯＮＥＴフレーム又はＳＤＨフレームからデマッピングして前記パケットを組立てる機能を含む変換部と、該変換部との間で前記ＳＯＮＥＴフレーム又はＳＤＨフレームの転送を行い、且つ前記コード処理部からのコード化されたコード化情報に従って前記変換部からの複数のＳＯＮＥＴフレーム又はＳＤＨフレームのオーバーヘッドのポインタ部を警報情報伝送時の状態に操作するＳＯＮＥＴ網又はＳＤＨ網インタフェース部と、前記変換部との間で前記パケットの転送を行い、且つ前記デコード処理部によりデコードされた前記インタフェース間情報を前記高速パケット伝送網に送出する高速パケット伝送網インタフェース部とを有する変換装置を備えたことを特徴とする請求項１記載の情報伝送システム。
【請求項５】
前記複数種類のインタフェース間情報とバーチャル・コンカチネーション方式により分割したパケットとの対応付けを行うパス警報処理部と、警報情報伝送時の状態のポインタ部とインタフェース間情報と対応付けでインタフェース間情報を復元するインタフェース情報処理部と、バーチャル・コンカチネーション方式により複数に分割したパケットをそれぞれ複数のＳＯＮＥＴフレーム又はＳＤＨフレームにマッピングする機能及び複数のＳＯＮＥＴフレーム又はＳＤＨフレームからデマッピングして前記パケットを組立てる機能を含む変換部と、該変換部との間で前記ＳＯＮＥＴフレーム又はＳＤＨフレームの転送を行い、且つ前記パス警報処理部による対応付けに従って選択されたＳＯＮＥＴフレーム又はＳＤＨフレームのオーバーヘッドのポインタ部を警報情報伝送時の状態に操作するＳＯＮＥＴ網又はＳＤＨ網インタフェース部と、前記変換部との間で前記パケットの転送を行い、且つ前記インタフェース情報処理部により判定されたインタフェース間情報を前記高速パケット伝送網に送出する高速パケット伝送網インタフェース部とを有する変換装置を備えたことを特徴とする請求項１記載の情報伝送システム。
【請求項６】
前記高速パケット伝送網インタフェースタ部と前記変換部との間に前記高速パケット伝送網からのパケットの流入量を予め設定した帯域に制限する流入制御部を設けたことを特徴とする請求項１乃至５の何れか１項記載の情報伝送システム。
【請求項７】
前記ＳＯＮＥＴ網又はＳＤＨ網インタフェース部は、前記ポインタ部をＡＩＳ−Ｐ情報を伝送する状態として前記インタフェース間情報を伝送する構成を有することを特徴とする請求項１乃至６の何れか１項記載の情報伝送システム。
【請求項８】
前記ＳＯＮＥＴ網又はＳＤＨ網インタフェース部は、前記インタフェース間情報の種類に対応して、前記ポインタ部をＡＩＳ−Ｐ情報又はＬＯＰ−Ｐ情報を伝送する状態とする組合せにより前記インタフェース間情報を伝送する構成を有することを特徴とする請求項１乃至６の何れか１項記載の情報伝送システム。
【発明の詳細な説明】
【０００１】
【発明の属する技術分野】
本発明は、高速パケット伝送網間を、ＳＯＮＥＴ（Ｓｙｎｃｈｒｏｎｏｕｓ　Ｏｐｔｉｃａｌ　Ｎｅｔｗｏｒｋ）網、又はＳＤＨ（Ｓｙｎｃｈｒｏｎｏｕｓ　Ｄｉｇｉｔａｌ　Ｈｉｅｒａｒｃｈｙ）網を介して接続し、バーチャル・コンカチネーション（Ｖｉｒｔｕａｌ　Ｃｏｎｃａｔｅｎａｔｉｏｎ）方式を適用して、パス警報情報等を伝送する情報伝送システムに関する。
【０００２】
【従来の技術】
端末装置間やＬＡＮ間で高速パケット伝送を行うシステムは、例えば、１Ｇｂｐｓ或いはそれ以上の伝送速度でパケットを伝送するギガビット・イーサネット（登録商標）（ＧｂＥ）が知られており、この高速パケット伝送網を、ＳＯＮＥＴ網又はＳＤＨ網を介して接続し、高速パケット伝送網の帯域を複数に分割して、それぞれＳＯＮＴＥフレームにより伝送する方式として、ＰＯＳ（Ｐａｃｋｅｔ　Ｏｖｅｒ　ＳＯＮＥＴ）方式が知られている。
【０００３】
図３０は、前述のＰＯＳ方式の概要を示すもので、１０１，１０６は１Ｇｂｐｓ或いはそれ以上の高速パケット伝送を行う例えばギガビット・イーサネット（登録商標）（ＧｂＥ）（１０００ＢＡＳＥ−Ｔ）の端末装置、１０２，１０５はＧｂＥ伝送路側のインタフェース部（ＧｂＥＦ）、１０３，１０４はＳＯＮＥＴ伝送路側のインタフェース部（ＳＯＮＥＴＦ）を示す。ＧｂＥインタフェース区間は、ＧｂＥ伝送路を含む区間である。又端末装置１０１，１０６からのパケットを、インタフェース部１０２，１０３，１０４，１０５を含む変換機能によって、ＳＯＮＥＴフレームのペイロードにマッピングして、ＳＯＮＥＴ伝送路により伝送し、又ＳＯＮＥＴフレームのペイロードからデマッピングしたフレームをＧｂＥ伝送路により伝送する。このＳＯＮＥＴインタフェース部１０３，１０４間が中継伝送区間（ＰＯＳ区間）となる。
【０００４】
図３１は、前述のＳＯＮＥＴ伝送路に伝送するＳＯＮＥＴフレームの説明図であり、１１１，１１２はＰＯＳ変換装置を示す。このＰＯＳ変換装置１１１，１１２は、ＧｂＥ伝送路からのパケットをＳＯＮＥＴフレームのペイロードにマッピングして中継伝送区間に送出し、又中継伝送区間からのＳＯＮＴＥフレームのペイロードからパケットをデマッピングして、ＧｂＥ伝送路に送出する。
【０００５】
ＳＯＮＥＴフレームは、オーバーヘッドＴＯＨとペイロードとを含み、ＧｂＥ伝送路側のパケットを、カプセリング後のＧｂＥパケットフレームとして示すように、ＳＯＮＥＴフレームのペイロードにマッピングし、その先頭位置は、オーバーヘッドＴＯＨのポインタ部により指示される。又中継伝送区間については、ＳＯＮＥＴフレームのオーバーヘッドＴＯＨを用いて各種の情報を伝送することができるものであるが、ＧｂＥ伝送路側の警報等の各種の情報は、ＳＯＮＥＴフレームによっては伝送できないので、例えば、独自ＧｂＥインタフェース間情報フレームとして示すように、ＳＯＮＥＴフレームのペイロードに挿入して伝送することになる。
【０００６】
又高速パケット等の広帯域のデータを複数に分割して複数の狭帯域の伝送経路を介して伝送し、受信側で再結合させて、元の広帯域のデータに復元するシステムが知られている。即ち、バーチャル・コンカチネーション（Ｖｉｒｔｕａｌ　Ｃｏｎｃａｔｅｎａｔｉｏｎ）方式が知られている。このバーチャル・コンカチネーション方式を前述のＰＯＳ方式に適用し、元の広帯域データをバーチャル・コンカチネーション信号として分割した時に、識別子をそれぞれ付加して送出し、受信側に於いて、識別子を基に、元の広帯域データに復元する手段が知られている。（例えば、特許文献１参照）。
【０００７】
【特許文献１】
特開２００１−５３７０５号公報
【０００８】
【発明が解決しようとする課題】
高速パケット伝送を行うＧｂＥ伝送路側に於いては、高速レイヤ２スイッチ機能を有効に利用する為に、リンク断，リモート・フォルト等の各種の情報を伝送する必要がある。しかし、前述のＰＯＳ方式に於けるＧｂＥインタフェース間では、中継伝送区間を介して、ＧｂＥ伝送路側のリンク断，リモート・フォルト等の各種の情報を伝送できないものである。そこで、図３１に示すように、独自ＧｂＥインタフェース間情報フレームを構成してＳＯＮＥＴフレームのペイロードにマッピングして伝送することが必要となる。
【０００９】
その場合、例えば、図３１に於けるＰＯＳ変換装置１１１，１１２に於いては、独自ＧｂＥインタフェース間情報フレームの作成手段と、そのフレームをペイロードに挿入する手段と、ペイロードからフレームを分解する手段とを実現する為の回路構成を付加する必要ある。従って、その回路の開発及び製作等によるコストアップや装置規模の増大等の問題がある。
【００１０】
本発明は、バーチャル・コンカチネーション方式を適用して、独自ＧｂＥインタフェース間情報フレーム等を作成することなく、高速パケット伝送網側の情報を、ＳＯＮＥＴ網又はＳＤＨ網を介して伝送することを目的とする。
【００１１】
【課題を解決するための手段】
本発明の情報伝送システムは、図１を参照して説明すると、ＧｂＥインタフェース区間として示す高速パケット伝送網間を、ＳＯＮＥＴ中継伝送区間として示すＳＯＮＥＴ網又はＳＤＨ網を介して接続し、ＰＯＳ変換装置として示す手段によって、高速パケット伝送網間のパケットをバーチャル・コンカチネーション方式により複数に分割し、分割パケットをそれぞれバーチャル・コンカチネーション信号として複数のＳＯＮＥＴフレーム又はＳＤＨフレームにより伝送する情報伝送システムに於いて、高速パケット伝送網に於ける警報情報等のインタフェース間情報を、複数のＳＯＮＥＴフレーム又はＳＤＨフレームのオーバーヘッドのポインタ部と対応付け、このポインタ部を警報情報伝送時の状態に操作して、インタフェース間情報を伝送する手段を備えている。
【００１２】
又複数種類のインタフェース間情報をコード化したコード化情報と、複数のＳＯＮＥＴフレーム又はＳＤＨフレームのオーバーヘッドのポインタ部とを対応付けて、ポインタ部を警報情報伝送時の状態に操作して、インタフェース間情報を伝送する手段を備えている。又は、複数種類のインタフェース間情報と、複数のＳＯＮＥＴフレーム又はＳＤＨフレームのオーバーヘッドのポインタ部とを直接的に対応付けて、ポインタ部を警報情報伝送時の状態に操作して、インタフェース間情報を伝送する手段を備えることができる。
【００１３】
又図２を参照して説明すると、複数種類のインタフェース間情報をコード化するＧｂＥインタフェース情報コード処理部１８として示すコード処理部と、複数のポインタ部の警報情報伝送時の状態をインタフェース間情報に復元するＧｂＥインタフェース情報デコード部１９として示すデコード処理部と、バーチャル・コンカチネーション方式により複数に分割したパケットをそれぞれ複数のＳＯＮＥＴフレーム又はＳＤＨフレームにマッピングする機能及び複数のＳＯＮＥＴフレーム又はＳＤＨフレームからデマッピングして前記パケットを組立てる機能を含むＰＯＳ変換部１４として示す変換部と、この変換部との間でＳＯＮＥＴフレーム又はＳＤＨフレームの転送を行い、且つコード処理部からのコード化されたコード化情報に従って、変換部からの複数のＳＯＮＥＴフレーム又はＳＤＨフレームのオーバーヘッドのポインタ部を警報情報伝送時の状態に操作するＳＯＮＥＴＩＦ部１５として示すＳＯＮＥＴ網又はＳＤＨ網インタフェース部と、変換部との間でパケットの転送を行い、且つデコード処理部によりデコードされたインタフェース間情報を前記高速パケット伝送網に送出するＧｂＥＩＦ部１３として示す高速パケット伝送網インタフェース部とを有する変換装置を備えている。
【００１４】
又複数種類のインタフェース間情報とバーチャル・コンカチネーション方式により分割したパケットとの対応付けを行うパス警報処理部と、警報情報伝送時の状態のポインタ部とインタフェース間情報と対応付けでインタフェース間情報を復元するインタフェース情報処理部と、バーチャル・コンカチネーション方式により複数に分割したパケットをそれぞれ複数のＳＯＮＥＴフレーム又はＳＤＨフレームにマッピングする機能及び複数のＳＯＮＥＴフレーム又はＳＤＨフレームからデマッピングして前記パケットを組立てる機能を含む変換部と、この変換部との間で、ＳＯＮＥＴフレーム又はＳＤＨフレームの転送を行い、且つパス警報処理部による対応付けに従って選択されたＳＯＮＥＴフレーム又はＳＤＨフレームのオーバーヘッドのポインタ部を警報情報伝送時の状態に操作するＳＯＮＥＴ網又はＳＤＨ網インタフェース部と、変換部との間でパケットの転送を行い、且つインタフェース情報処理部により判定されたインタフェース間情報を、高速パケット伝送網に送出する高速パケット伝送網インタフェース部とを有する変換装置を備えている。
【００１５】
又高速パケット伝送網インタフェース部と変換部との間に、高速パケット伝送網からのパケットの流入量を予め設定した帯域に制限する流入制御部を設けることができる。又ＳＯＮＥＴ網又はＳＤＨ網インタフェース部は、ポインタ部をＡＩＳ−Ｐ情報を伝送する状態としてインタフェース間情報を伝送する構成を有することができる。又ＳＯＮＥＴ網又はＳＤＨ網インタフェース部は、インタフェース間情報の種類に対応して、ポインタ部をＡＩＳ−Ｐ情報又はＬＯＰ−Ｐ情報を伝送する状態とする組合せにより、インタフェース間情報を伝送する構成を有することができる。
【００１６】
【発明の実施の形態】
図１は本発明の実施の形態の説明図であり、１，６は端末装置、２，５はＰＯＳ変換装置のインタフェース部（ＧｂＥＩＦ）、３，４はＳＯＮＥＴ伝送路側のＰＯＳ変換装置のＳＯＮＥＴインタフェース部（ＳＯＮＥＴＩＦ）、７，９はＧｂＥインタフェース区間、８はＳＯＮＥＴ中継伝送区間、１０はＰＯＳ区間を示す。又実線矢印はＧｂＥインタフェース間情報、点線矢印は変換されたＧｂＥインタフェース間情報を示す。以下ＰＯＳ区間１０をＳＯＮＥＴ方式を適用した場合について説明するが、ＳＤＨ方式を適用することも可能である。又高速パケット伝送網をギガビット・イーサネット（登録商標）ＧｂＥ伝送路とした場合について説明するが、他の高速パケット伝送網を適用することも可能である。
【００１７】
ＧｂＥ伝送路側のインタフェース部（ＧｂＥＩＦ）２とＳＯＮＥＴ伝送路側のインタフェース部（ＳＯＮＥＴＩＦ）３を含むＰＯＳ変換装置と、ＳＯＮＥＴ伝送路側のインタフェース部（ＳＯＮＥＴＩＦ）４とＧｂＥ伝送路側のインタフェース部（ＧｂＥＩＦ）５を含むＰＯＳ変換装置とは、バーチャル・コンカチネーション方式を適用した機能を含むものである。
【００１８】
本発明は、バーチャル・コンカチネーション方式を適用し、ＰＯＳ変換装置に於いて帯域分割を行ったパケットをそれぞれマッピングしたＳＯＮＥＴフレームのオーバーヘッドを利用して、ＧｂＥインタフェース間情報を伝送するものである。例えば、×印で示す位置の障害が発生した場合、ＰＯＳ変換装置は、バーチャル・コンカチネーション方式により分割したパケットのデータをＳＯＮＥＴフレームにマッピングして伝送できない構成を有するものであり、そこで、例えば、この障害情報を、複数に分割したパケット数に相当するビット構成にコード化して、分割数に対応したＳＯＮＥＴフレームのオーバーヘッドのポインタ部を操作して伝送し、対向側のＰＯＳ変換装置に於いては、受信したＳＯＮＥＴフレームのオーバーヘッドのポインタ部を基に、ＧｂＥインタフェース間情報を復元する。従って、従来のような独自ＧｂＥインタフェース間情報フレームを作成して、ＳＯＮＥＴフレームのペイロードにマッピングする必要はなくなる。即ち、独自ＧｂＥインタフェース間情報フレーム作成の為の回路構成を必要とせず、コストダウンを図ることができる。
【００１９】
図２は本発明の実施の形態のＰＯＳ変換装置の説明図であり、１１はＧｂＥ伝送路により光信号を伝送する場合は、光電変換機能を含むＧｂＥ受信部、１２はＧｂＥ伝送路により光信号を伝送する場合は、電光変換機能を含むＧｂＥ送信部、１３はＧｂＥＩＦ（インタフェース）部、１４はＰＯＳ変換部、１５はＳＯＮＥＴＩＦ（インタフェース）部、１６は電光変換機能を含むＳＯＮＥＴ送信部、１７は光電変換機能を含むＳＯＮＥＴ受信部、１８はＧｂＥインタフェース情報コード処理部、１９はＧｂＥインタフェース情報デコード処理部を示す。
【００２０】
この実施の形態のＰＯＳ変換装置は、従来のＰＯＳ変換装置に、ＧｂＥインタフェース情報コード処理部１８とＧｂＥインタフェース情報デコード処理部１９とを付加した構成に相当し、ＧｂＥインタフェース情報コード処理部１８は、ＧｂＥＩＦ部１３を介して入力されたリンク断やリモートフォルト等のＧｂＥインタフェース間情報をコード化して、このコード化情報をＳＯＮＥＴＩＦ部１５に入力する。
【００２１】
又ＳＯＮＥＴＩＦ部１５は、ＳＯＮＥＴフレームのオーバーヘッドのポインタ部を操作する機能を含むもので、ＳＯＮＥＴ中継伝送区間に対する障害発生等について、例えば、ポインタ部をオール“１”に操作して、ＡＩＳ（Ａｌａｒｍ　Ｉｎｄｉｃａｔｉｏｎ　Ｓｉｇｎａｌ）を送出する機能を従来から備えているものである。そこで、ＧｂＥインタフェース間情報を伝送する必要が生じた時に、ＰＯＳ変換部１４に於いて分割したパケット対応のＳＯＮＥＴフレームのオーバーヘッドのポインタ部を、コード化情報に従ってオール“１”とするか否かの操作を行う。
【００２２】
通常のＳＯＮＥＴフレームのオーバーヘッドのポインタ部は、前述のように、オール“１”としてＡＩＳ（Ａｌａｒｍ　Ｉｎｄｉｃａｔｉｏｎ　Ｓｉｇｎａｌ）を送出できるものであるから、このポインタ部がオール“１”か否かをコード化情報に対応させる。例えば、ＰＯＳ変換部１４に於いて帯域を２分割した場合、ＧｂＥインタフェース情報コード処理部１８は、ＧｂＥインタフェース間情報を２ビット構成のコード化情報とし、このコード化情報に従って、２分割したフレーム対応のポインタ部をオール“１”とするか否かを制御することになる。そして、ＳＯＮＥＴ送信部１６から光信号に変換したＳＯＮＥＴフレームを光ファイバ伝送路からなるＳＯＮＥＴ伝送路に送出する。
【００２３】
又ＧｂＥインタフェース情報デコード処理部１９は、ＳＯＮＥＴ受信部１７に於いて受信し、ＳＯＮＥＴＩＦ部１５に於いて抽出したＳＯＮＥＴフレームのオーバーヘッドのポインタ部によるコード化されたＧｂＥインタフェース間情報をデコードして、ＧｂＥＩＦ部１３に入力する。又ＰＯＳ変換部１４は、ＳＯＮＥＴフレームのペイロードからパケットフレームを抽出して、分割されたパケットを結合処理して復元し、ＧｂＥＩＦ部１３からＧｂＥ送信部１２を介してＧｂＥ伝送路に送出する。又ＧｂＥインタフェース情報デコード処理部１９でデコードしたＧｂＥインタフェース間情報を、ＧｂＥＩＦ部１３とＧｂＥ送信部１２とを介してＧｂＥ伝送路に送出する。
【００２４】
ＧｂＥインタフェース情報コード処理部１８とＧｂＥインタフェース情報デコード処理部１９とは、通常のコーダやデコーダの機能を適用した構成で、容易に実現することができる。又回路規模としても僅かである。なお、これらの機能をソフトウエアによって実現することも可能である。
【００２５】
図３はＧｂＥインタフェース間情報の伝送説明図であり、図１と同一符号は同一部分を示し、例えば、ＧｂＥパケットを、ＳＴＳ（Ｓｙｎｃｈｒｏｎｏｕｓ　Ｔｒａｎｓｐｏｒｔ　Ｓｉｇｎａｌ）１（５１．８４Ｍｂｐｓ）の２４チャネルに分割した場合を示す。そして、下方に示すように、ＳＴＳ１＃１を最下位ビットＬＳＢとし、ＳＴＳ１＃２４を最上位ビットＭＳＢとした時に、ＧｂＥインタフェース間情報をコード化し、例えば、そのコード化情報を“００００４２ｈ”とすると、ＳＴＳ１＃２，ＳＴＳ１＃７に対応するＳＯＮＥＴフレームのオーバーヘッドのポインタ部をオール“１”として、ＧｂＥインタフェース間情報を、ＳＯＮＥＴＩＦ部３，４間のＳＯＮＥＴ伝送路により伝送することができる。
【００２６】
従って、ＳＯＮＥＴＩＦ部３に於けるポインタ部の操作機能を利用して、ＧｂＥインタフェース間情報をＳＯＮＥＴ中継伝送区間に送出すると、ＳＯＮＥＴＩＦ部４に於けるポインタ処理機能を利用して、ポインタ部がオール“１”のチャネルを識別し、そのオール“１”のポインタ部のチャネル対応のパターンによってＧｂＥインタフェース間情報を識別し、ＧｂＥＩＦ部５を介してＧｂＥ伝送路に送出することができる。
【００２７】
図４はコード化情報の説明図であり、２４チャネル分のポインタ部を用いてコード化情報を形成する場合を示す。そして、全チャネルのポインタ部が総てオール“１”の場合は中継回線異常とし、又全チャネルのポインタ部の中にオール“１”が含まれていない場合は、正常状態を示すものとすると、この２通りを除いたコード化情報は、２２４−２＝１６，７７７，２１４通りとなる。
【００２８】
その組合せの中で、ＧｂＥインタフェース間情報として、ＬＩＮＫ断を“００００１０”、Ｐａｕｓｅ受信を“００００２０”、ＲＦ（Ｒｅｍｏｔｅ　Ｆａｕｌｔ）（ｏｆｆｌｉｎｅ）を“００００４２”、ＲＦ（ｌｉｎｋ　ｆａｉｌｕｒｅ）を“００００４４”、ＲＦ（Ｒｅｍｏｔｅ　Ｆａｕｌｔ）（Ａｕｔｏ　Ｎｅｇｏｔｉａｔｉｏｎ　Ｅｒｒｏｒ）を“００００４８”とし、その他は、未使用（Ｒｅｓｅｒｖｅ）とした場合を示す。従って、図３に於けるコード化情報は、図４の（ａ）の６６項に相当し、それに該当するＧｂＥインタフェース間情報は、ＲＦ（Ｒｅｍｏｔｅ　Ｆａｕｌｔ）（ｏｆｆｌｉｎｅ）を示すことになる。なお、コード化情報とＧｂＥインタフェース間情報との関係は、図４以外の関係に設定することも勿論可能である。
【００２９】
図５は、ポインタ部をＡＩＳ−Ｐ情報とＬＯＰ（Ｌｏｓｓ　Ｏｆ　Ｐｏｉｎｔｅｒ）−Ｐ情報とを用いて操作することにより、３進表示のコード化情報を得ることができることを示すものである。即ち、図３及び図４に示すように、ＳＴＳ１の２４チャネル分に分割した場合に、ＳＯＮＥＴフレームのオーバーヘッドのポインタ部により、オール“１”によるＡＩＳ−Ｐ情報と、それ以外のＬＯＰ−Ｐ情報と、通常のポインタ値を示す場合との３通りを利用して、０，１，２の３値のコード化情報を用いることにより、３２４通りのコード化情報が得られる。
【００３０】
従って、図２に於けるＧｂＥインタフェース情報コード処理部１８は、ＧｂＥインタフェース間情報の種類に対応して３値のコード化情報に変換してＳＯＮＥＴＩＦ部１５に入力し、ＳＯＮＥＴＩＦ部１５は、コード化情報に従って選択したチャネルのポインタ部を、ＡＩＳ−Ｐ情報又はＬＯＰ−Ｐ情報の伝送状態に操作する。又受信側では、図２に於けるＳＯＮＥＴＩＦ部１５に於いて、ポインタ部の警報情報伝送状態とチャネルとを識別して、ＧｂＥインタフェース情報デコード部１９に転送し、ＧｂＥインタフェース情報デコード部１９によりデコードしてインタフェース間情報を復元し、ＧｂＥＩＦ部１３からＧｂＥ送信部１２を介してＧｂＥ伝送路に送出することができる。
【００３１】
この場合、ＡＩＳ−Ｐ情報を１、ＬＯＰ−Ｐ情報を２、通常のポインタ値の場合を０として、図４と同様のＧｂＥインタフェース間情報とコード値とを対応して図５に示している。例えば、図４の（ａ）の６６項に対応するＲＦ（ｏｆｆｌｉｎｅ）のＧｂＥインタフェース間情報については、図３を参照すると、ＳＴＳ１＃１，ＳＴＳ１＃４をそれぞれＬＯＰ−Ｐ情報による２、ＳＴＳ１＃３をＡＩＳ−Ｐ情報による１として、図５の（ｂ）の６６項の下位側の“２１０２”のコード化情報をポインタ部により伝送することができる。
【００３２】
図６は本発明の他の実施の形態のＰＯＳ変換装置の説明図であり、図２と同一符号は同一部分を示し、２１はＳＯＮＥＴパス警報処理部、２２はＧｂＥインタフェース情報処理部を示す。この実施の形態に於けるＳＯＮＥＴパス警報処理部２１は、ＧｂＥＩＦ部１３を介したＧｂＥインタフェース間情報に対応するＡＩＳ−Ｐ挿入指令をＳＯＮＥＴＩＦ部１５に入力する。又ＧｂＥインタフェース情報処理部２２は、ＳＯＮＥＴＩＦ部１５を介して、ＳＯＮＥＴフレームのオーバーヘッドのポインタ部によるＡＩＳ−Ｐ情報に対応するＧｂＥインタフェース間情報に変換して、ＧｂＥＩＦ部１３に入力する。
【００３３】
図７はＧｂＥインタフェース間情報をＳＴＳ１＃１〜ＳＴＳ１＃２４に割当てた場合の一例を示す。この場合は、バーチャル・コンカチネーション方式に従って分割したＳＴＳ１の２４チャネル分により、２４通りのＧｂＥインタフェース間情報を直接的に対応付けて伝送する場合を示す。例えば、図４の（ａ），図５の（ｂ）のＧｂＥインタフェース間情報のＲＦ（ｏｆｆｌｉｎｅ）を、（ｃ）の１３項のＳＴＳ１＃１３に対応するＳＯＮＥＴフレームのオーバーヘッドのポインタ部をオール“１”として伝送することができる。
【００３４】
この場合、図６に於けるＳＯＮＥＴパス警報処理部２１は、ＧｂＥインタフェース間情報の例えばＲＦ（ｏｆｆｌｉｎｅ）が入力されると、ＳＯＮＥＴＩＦ部１５に対して、ＳＴＳ１＃１３対応のポインタ部をＡＩＳ−Ｐ情報の伝送状態のオール“１”とするように指示する。なお、複数種類のＧｂＥインタフェース間情報と、各チャネルとの直接的な対応関係は、図７に示す関係に限定されないものである。
【００３５】
図８及び図９は、ＳＴＳ１＃１〜ＳＴＳ１＃２４のＡＩＳ−Ｐ情報及びＬＯＰ−Ｐ情報と、ＧｂＥインタフェース間情報とを直接的に対応付けた場合を示し、２種類のポインタ部の伝送状態を利用することにより、図７に示す場合の２倍の種類のＧｂＥインタフェース間情報を伝送することができる。なお、図８に示すように、ＡＩＳ−Ｐ情報を用いる条件は総て未使用（Ｒｅｓｅｒｖｅ）とし、図９に示すように、ＬＯＰ−Ｐ情報を用いて、リンク断等のＧｂＥインタフェース間情報を伝送することができる。例えば、図４の（ａ），図５の（ｂ），図７の（ｃ）に示すＧｂＥインタフェース間情報のＲＦ（ｏｆｆｌｉｎｅ）を、図９の（ｄ）に示すように、３７項のＳＴＳ１＃１３のポインタ部を、ＬＯＰ−Ｐ情報伝送状態として伝送することができる。
【００３６】
図１０はＧｂＥインタフェース間情報の伝送説明図であり、前述の各図の符号と同一部分は同一名称部分を示す。この実施の形態は、ＰＯＳ変換装置に於いて、バーチャル・コンカチネーション方式により、ＳＴＳ３ｃ＃１〜ＳＴＳ３ｃ＃８（１５５．５２Ｍｂｐｓ）の８チャネルに分割した場合を示し、ＳＴＳ３ｃ＃１を最下位ビットＬＳＢ、ＳＴＳ３ｃ＃８を最上位ビットＭＳＢとし、ＧｂＥインタフェース間情報をコード化し、そのコード化情報とＳＴＳ３ｃ＃１〜ＳＴＳ３ｃ＃８とを対応付ける。例えば、コード化情報が“４２ｈ”を示す場合、ＳＴＳ３ｃ＃２とＳＴＳ３ｃ＃７とに対応するＳＯＮＥＴフレームのオーバーヘッドのポインタ部をＡＩＳ−Ｐ情報の伝送状態のオール“１”として、ＧｂＥインタフェース間情報を伝送することができる。
【００３７】
即ち、図１０に於いては、図３に於けるＲＦ（ｏｆｆｌｉｎｅ）のＧｂＥインタフェース間情報のコード化情報“００００４２ｈ”と同様に、図３に於けるＧｂＥインタフェース情報コード処理部１８によりコード化情報“４２ｈ”とし、ＳＴＳ３ｃ＃１〜ＳＴＳ３ｃ＃８の８チャネルの中のＳＴＳ３ｃ＃２とＳＴＳ３ｃ＃７とにペイロードにマッピングするＳＯＮＥＴフレームのオーバーヘッドのポインタ部をオール“１”として、ＳＯＮＥＴＩＦ部３，４間のＳＯＮＥＴ中継伝送区間に伝送する。
【００３８】
図１１はコード化情報の説明図であり、バーチャル・コンカチネーション方式によりパケットを、ＳＴＳ３ｃ＃１〜ＳＴＳ３ｃ＃８の８チャネルに分割して、それぞれに対応するＳＯＮＥＴフレームのポインタ部との対応付けをコード化すると、００〜ＦＦの１６進表示のコード値を利用することができる。実際には、８チャネル対応のポインタ部が総てオール“１”の場合は中継回線異常を示し、オール“１”を含まない場合は正常状態を示すから、２８　−２＝２５４通りのコード化情報を用いて、コード化したＧｂＥインタフェース間情報を伝送することができる。例えば、図４の（ａ），図５の（ｂ），図７の（ｃ）に示すＧｂＥインタフェース間情報のＲＦ（ｏｆｆｌｉｎｅ）を、図１１の（ｅ）の６６項のコード値“４２”とし、このコード値に従って、図１０に示すように、ＳＴＳ３ｃ＃２とＳＴＳ３ｃ＃７とに対応するポインタ部を、ＡＩＳ−Ｐ情報を示すオール“１”として、ＧｂＥインタフェース間情報を伝送する。
【００３９】
図１２は、図１０に示すように、バーチャル・コンカチネーション方式により、高速パケット伝送網からのパケットをＳＴＳ３ｃ＃１〜ＳＴＳ３ｃ＃８の８チャネルに分割して伝送する場合に於いて、ＡＩＳ−Ｐ情報とＬＯＰ−Ｐ情報とにより、３進表示のコード化情報を用いる場合を示す。例えば、図５について説明したように、ＡＩＳ−Ｐ情報を１、ＬＯＰ−Ｐ情報を２、その他を０とした３進表示のコード化情報を用いる場合を示す。即ち、ＬＯＰ−Ｐ情報もＡＩＳ−Ｐ情報と同様に、ＳＯＮＥＴフレームのオーバーヘッドのポインタ部の操作で挿入可能のものであるから、図１０のＰＯＳ変換装置のＳＯＮＥＴＩＦ部３，４に於いて、コード化情報に従ってポインタ部を操作することができる。
【００４０】
この場合、８チャネル分を用いることができるから、３８　＝６５６１通りの組合せを利用することができる。そして、例えば、図５の（ｂ）に示す場合と同様に、ＧｂＥインタフェース間情報のＲＦ（ｏｆｆｌｉｎｅ）を、図１２の（ｆ）に示すように、ＳＴＳ３ｃ＃１，ＳＴＳ３ｃ＃４をＬＯＰ−Ｐ情報に対応させ、ＳＴＳ３ｃ＃３をＡＩＳ−Ｐ情報に対応させることにより、“００００，２１０２”のコード化情報として伝送することができる。
【００４１】
図１３は、図１０に示すように、ＳＴＳ３ｃ＃１〜ＳＴＳ３ｃ＃８の８チャネルに分割して伝送する場合に於いて、８種類のＧｂＥインタフェース間情報を、それぞれ各チャネルと直接的に対応付けた場合の一例を示す。例えば、ＧｂＥインタフェース間情報のＲＦ（ｏｆｆｌｉｎｅ）を、（ｇ）に示すように、ＳＴＳ３ｃ＃５に割当てることができる。同様にＬｉｎｋ断は、ＳＴＳ３ｃ＃２に割当てることができる。
【００４２】
図１４は、図９について説明した場合と同様に、ＡＩＳ−Ｐ情報とＬＯＰ−Ｐ情報とを用いる場合に相当し、１項〜８項は、ＧｂＥインタフェース間情報を、ＡＩＳ−Ｐ情報と対応付けを行わず、従って、実際にＡＩＳ−Ｐ情報を伝送する場合に使用するが、ＧｂＥインタフェース情報を伝送する為には、未使用（Ｒｅｓｅｒｖ）とし、９項〜１６項は、ＬＯＰ−Ｐ情報としてポインタ部を操作してＧｂＥインタフェース間情報を伝送する場合を示す。従って、図１３に示す場合に比較して、ＡＩＳ−Ｐ情報も利用する場合は、２倍の１６通りの割当てが可能となる。なお、（ｈ）の１３項は、ＳＴＳ３ｃ＃５のポインタ部をＬＯＰ−Ｐ情報として操作した場合に相当し、図９の（ｄ）と同様に、ＧｂＥインタフェース間情報のＲＦ（ｏｆｆｌｉｎｅ）を伝送することができる。
【００４３】
図１５は前述の各図と同一符号は同一部分を示し、この実施の形態は、ＰＯＳ変換装置に於いて、パケットをＳＴＳ１２ｃの２チャネルに分割した場合に相当する。そして、ＳＴＳ１２ｃ＃１を下位ビット、ＳＴＳ１２ｃ＃２を上位ビットとし、例えば、ＳＴＳ１２ｃ＃２に対応するポインタ部を操作することにより、“１０”のコード化情報を伝送することができる。
【００４４】
図１６はコード情報の説明図であり、コード値の“００”は、ポインタ部にオール“１”を含まない正常状態を示し、コード値の“１１”は、ＳＴＳ１２ｃ＃１，ＳＴＳ１２ｃ＃２対応のポインタ部がオール“１”によるＡＩＳ−Ｐ情報を示す場合で、中継回線異常とし、又コード値の“０１”は、リング断、コード値の“１０”は、ＲＦ（縮退）のＧｂＥインタフェース間情報を示すことができる。即ち、２通りのＧｂＥインタフェース間情報を伝送することができる。
【００４５】
図１７は、図１５に示すように、ＳＴＳ１２ｃ＃１，ＳＴＳ１２ｃ＃２の２チャネルに分割した場合に於いて、図９及び図１４について説明した場合と同様に、ＡＩＳ−Ｐ情報とＬＯＰ−Ｐ情報とを用いる場合を示す。即ち、３進表示のコード値により、３２　＝９通りの組合せとし、コード値の“００”は、ＡＩＳ−Ｐ情報及びＬＯＰ−Ｐ情報がない場合で正常状態を示し、又“１１”は、両方のチャネルにＡＩＳ−Ｐ情報に従ってオール“１”とする場合で、中継回線異常を示すことになる。又（ｆ）の６項は、コード値が“１２”で、ＳＴＳ１２ｃ＃１対応のポインタ部をＡＩＳ−Ｐ情報に従って操作し、ＳＴＳ１２ｃ＃２対応のポインタ部をＬＯＰ−Ｐ情報に従って操作した場合に相当し、ＧｂＥインタフェース間情報のＲＦ（ｏｆｆｌｉｎｅ）を伝送することができる。又ＳＴＳ１２ｃ＃１対応のポインタ部をＡＩＳ−Ｐ情報に従って操作すると、コード値が“０１”のＬｉｎｋ断のＧｂＥインタフェース間情報を示すことになる。
【００４６】
図１８は本発明の更に他の実施の形態のＰＯＳ変換装置の説明図であり、図２と同一符号は同一部分を示し、３０は流入制御部を示す。ＧｂＥ伝送路側が１Ｇｂｐｓの帯域とすると、ＳＯＮＥＴ伝送路側も１Ｇｂｐｓ以上の帯域が要求されることになる。しかし、ＧｂＥ伝送路側に於いては、通常は、連続して１Ｇｂｐｓのパケット伝送を行うことは稀である。
【００４７】
そこで、システム効率の点から、ＳＯＮＥＴ伝送路側の帯域をＳＴＳ−１２ｃ（６２２Ｍｂｐｓ）とすることが考えられる。その場合に、流入制御部３０によって、ＧｂＥ伝送路側から流入するパケットを監視して、ＳＯＮＥＴ伝送路側のＳＴＳ−１２ｃの帯域を超えないように抑制制御する。又ＧｂＥインタフェース情報コード処理部１８及びＧｂＥインタフェース情報デコード処理部１９については、図２について説明した機能を有するものであり、ＧｂＥインタフェース間情報をＳＯＮＥＴ伝送路を介してＧｂＥ伝送路側へ伝送することができる。
【００４８】
図１９は、バーチャル・コンカチネーション方式により、ＧｂＥ伝送路のパケットをＳＴＳ１＃１〜ＳＴＳ１＃１２の１２チャネルに分割してＧｂＥインタフェース間情報を伝送する場合を示し、前述の各図と同一符号は同一部分を示す。又１２チャネルの中のＳＴＳ１＃１を最下位ビットＬＳＢに、ＳＴＳ１＃１２を最上位ビットＭＳＢにそれぞれ対応させて、ＧｂＥインタフェース間情報をコード化し、各チャネル対応のポインタ部を操作して伝送するものである。図示の場合、ＳＴＳ１＃２，ＳＴＳ１＃７対応のポインタ部をＡＩＳ−Ｐ情報によるオール“１”として、コード化情報の“０４２ｈ”に従ったＧｂＥインタフェース間情報を伝送する場合を示す。
【００４９】
図２０は、図１９に示すように、ＳＴＳ１＃１〜ＳＴＳ１＃１２の１２チャネルに分割した場合のコード化情報を示し、２１２−２＝４０９４通りのＧｂＥインタフェース間情報の伝送が可能となり、ＡＩＳ−Ｐ情報を用いた場合の一例を示す。この場合、１６進表示でコード値の０００〜ＦＦＦを示し、図４の（ａ），図５の（ｂ），図７の（ｃ），図１１の（ｅ）示すＧｂＥインタフェース間情報のＲＦ（ｏｆｆｌｉｎｅ）を、図２０の（ｊ）の６６項として示すコード値“０４２”に変換して伝送することができる。
【００５０】
図２１は、前述のように、ＡＩＳ−Ｐ情報とＬＯＰ−Ｐ情報とを用い、３進表示のコード化情報とし、ＳＴＳ１＃１〜ＳＴＳ１＃１２の１２チャネルに分割した場合に適用し、３１２＝５３１４４１通りのコード化情報を用いることを可能とした場合の一例を示す。例えば、（ｋ）の６６項は、ＳＴＳ１＃１＝ＬＯＰ−Ｐ、ＳＴＳ１＃３＝ＡＩＳ−Ｐ、ＳＴＳ＃４＝ＬＯＰ−Ｐとして、図９の（ｄ）又は図１４の（ｈ）と同様に、ＧｂＥインタフェース間情報のＲＦ（ｏｆｆｌｉｎｅ）を伝送する場合を示す。
【００５１】
図２２は本発明の更に他の実施の形態のＰＯＳ変換装置の説明図であり、図６と同一符号は同一部分を示し、３０は流入制御部を示す。この実施の形態は、図６に示す構成に、図１８に示す場合と同様の流入制御部３０を設けた場合に相当し、システム効率を向上させるものである。又各部の機能は、図６及び図１８に示す同一符号の各部の機能と同様であるから重複した説明は省略する。
【００５２】
図２３は、図２２に於けるＳＯＮＥＴパス警報処理部２１及びＧｂＥインタフェース情報処理部２２とに於けるＳＴＳ１＃１〜ＳＴＳ１＃１２とＧｂＥインタフェース間情報との対応付けの一例を示すもので、例えば、（ｍ）の６項は、ＧｂＥインタフェース間情報のＲＦ（ｏｆｆｌｉｎｅ）を、ＳＴＳ１＃６対応のポインタ部をＡＩＳ−Ｐ情報のオール“１”として伝送する場合を示す。又ＧｂＥインタフェース間情報のＬＩＮＫ断をＳＴＳ１＃２に、Ｐａｕｓｅ受信をＳＴＳ１＃４にそれぞれ対応付けた場合を示す
【００５３】
図２４は、ＡＩＳ−Ｐ情報とＬＯＰ−Ｐ情報とを用いた場合のＧｂＥインタフェース間情報の割当ての説明図であり、ＡＩＳ−Ｐ情報によりＳＴＳ１＃１〜ＳＴＳ１＃１２対応のポインタ部を操作する場合は、ＧｂＥインタフェース間情報の伝送に対しては未使用（Ｒｅｓｅｒｖ）とし、ＬＯＰ−Ｐ情報により、ＳＴＳ１＃１〜ＳＴＳ１＃１２対応のポインタ部を操作することにより、図２３に示す場合のＧｂＥインタフェース間情報を伝送することができる。例えば、（ｎ）の１８項のＳＴＳ１＃６対応のポインタ部をＬＯＰ−Ｐに従った操作により、ＧｂＥインタフェース間情報のＲＦ（ｏｆｆｌｉｎｅ）を伝送することができる。なお、ＡＩＳ−Ｐ情報を利用すると、２４通りの利用が可能となる。
【００５４】
図２５はＧｂＥインタフェース間情報の伝送説明図であり、前述の各図と同一符号は同一部分を示す。この実施の形態は、ＰＯＳ変換装置により、ＳＴＳ３ｃ＃１〜ＳＴＳ３ｃ＃４の４チャネルに分割してＳＯＮＥＴ中継伝送区間を伝送する場合について示し、ＧｂＥインタフェース間情報をコード化し、ＳＴＳ３ｃ＃１を最下位ビットＬＳＢ、ＳＴＳ３ｃ＃４を最上位ビットＭＳＢとして、コード化情報を割当てる。例えば、コード化情報が“６ｈ”の場合、ＳＴＳ３ｃ＃２，ＳＴＳ３ｃ＃３対応のポインタ部をＡＩＳ−Ｐ情報に従ってオール“１”として、ＧｂＥインタフェース間情報のＲＦ（ｏｆｆｌｉｎｅ）を伝送することができる。この場合、分割チャネル数が４であるから、２４　−２＝１６通りの利用が可能となる。
【００５５】
図２６は、図２５に示すように、４チャネルに分割した場合のコード化情報とＧｂＥインタフェース間情報との関係の一例を示す。例えば、（ｏ）の７項は、コード化情報が“６”であるから、図２５について説明したように、ＳＴＳ３ｃ＃２，ＳＴＳ３ｃ＃３対応のポインタ部をＡＩＳ−Ｐ情報によるオール“１”とすることにより、ＧｂＥインタフェース間情報のＲＦ（ｏｆｆｌｉｎｅ）を伝送することができる。又コード値がｆ＝１５は、４チャネル総てのポインタ部をＡＩＳ−Ｐ情報によるオール“１”として中継回線異常を対向ＰＯＳ変換装置に通知する場合である。
【００５６】
図２７は、ＡＩＳ−Ｐ情報とＬＯＰ−Ｐ情報とを用いた場合のＧｂＥインタフェース間情報をコード化し、３進表示のコード化情報とする場合を示す。この場合、３４　＝８１通りの組合せで、ＧｂＥインタフェース間情報を伝送することができる。例えば、（ｐ）の６６項は、図２１の（ｋ）の６６項と同様に、コード値の“２１０２”に対応したポインタ部の操作により、ＧｂＥインタフェース間情報のＲＦ（ｏｆｆｌｉｎｅ）を伝送すことができる。
【００５７】
図２８は、図２５に示すように、ＳＴＳ３ｃ＃１〜ＳＴＳ３ｃ＃４の４チャネルに分割した場合のＧｂＥインタフェース間情報の割当てを示し、ＡＩＳ−Ｐ情報を用いてポインタ部を操作し、ＳＴＳ３ｃ＃１にリンク断、ＳＴＳ３ｃ＄２にＲＦ（縮退）、ＳＴＳ３ｃ＃３は未使用（Ｒｅｓｅｒｖｅ）、ＳＴＳ３ｃ＃４はポーズ（Ｐａｕｓｅ）受信を割当てた場合を示す。
【００５８】
図２９は、図２５に示すように、ＳＴＳ３ｃ＃１〜ＳＴＳ３ｃ＃４の４チャネルに分割し、且つＡＩＳ−Ｐ情報とＬＯＰ−Ｐ情報とを用いた場合を示す。例えば、ＡＩＳ−Ｐ情報を用いた場合、ＳＴＳ３ｃ＃１は未使用、ＳＴＳ３ｃ＃２はリンク断、ＳＴＳ３ｃ＃３は未使用、ＳＴＳ３ｃ＃４はポーズ受信とし、ＬＯＰ−Ｐ情報を用いた場合、ＳＴＳ３ｃ＃１は未使用、ＳＴＳ３ｃ＃２はＲＦ（ｏｆｆｌｉｎｅ）、ＳＴＳ３ｃ＃３はＲＦ（ｌｉｎｋ　ｆａｉｌｕｒ）、ＳＴＳ３ｃ＃４はＲＦ（Ａｕｔｏ　Ｎｅｇｏｔｉａｔｉｏｎ　Ｅｒｒｏｒ）とすることができる。
【００５９】
本発明は、前述の各実施の形態にのみ限定されるものではなく、種々付加変更することが可能であり、ＧｂＥインタフェース区間に相当する高速パケット伝送網の伝送帯域と、ＰＯＳ変換装置間のＰＯＳ区間に相当するＳＯＮＥＴ網又はＳＤＨ網の伝送帯域とに対応して、バーチャル・コンカチネーション方式による分割数を選定することができ、分割数が多い場合は、複数種類のインタフェース間情報を、分割数に対応した複数のＳＯＮＥＴフレーム又はＳＤＨフレームのポインタ部との対応付けを直接的に行うことができ、又分割数が少ない場合は、インタフェース間情報をコード化することにより、所望種類数のインタフェース間情報を伝送することができる。
【００６０】
【発明の効果】
以上説明したように、本発明は、端末装置間やＬＡＮ間等を、ＧｂＥ伝送路等の高速パケット伝送網と、ＳＯＮＥＴ網又はＳＤＨ網とを介して接続し、バーチャル・コンカチネーション方式により分割したパケットを、ＳＯＮＥＴ網又はＳＤＨ網に於いてそれぞれＳＯＮＥＴフレーム又はＳＤＨフレームにマッピングして伝送する情報伝送システムに於いて、高速パケット伝送網間で伝送するリンク断等のインタフェース間情報を直接的に、又はコード化したコード化情報と、複数のＳＯＮＥＴフレーム又はＳＤＨフレームとを対応付けて、ポインタ部をＡＩＳ−Ｐ情報又はＬＯＰ−Ｐ情報を含めて操作することにより、インタフェース間情報を伝送するものであり、ポインタ部の操作機能は、例えば、ＳＯＮＥＴインタフェース部又はＳＤＨインタフェース部に備えているものであるから、僅かなハードウェアの追加、或いはソフトウェアの処理によって実現することが容易である。従って、独自ＧｂＥインタフェース間情報フレームの生成やペイロードへのマッピング処理等の為の回路の開発等が必要でなくなり、経済的な情報伝送システムを提供することができる利点がある。
【図面の簡単な説明】
【図１】本発明の実施の形態の説明図である。
【図２】本発明の実施の形態のＰＯＳ変換装置の説明図である。
【図３】ＧｂＥインタフェース間情報の伝送説明図である。
【図４】コード化情報の説明図である。
【図５】３進表示コード化情報の説明図である。
【図６】本発明の他の実施の形態のＰＯＳ変換装置の説明図である。
【図７】ＧｂＥインタフェース間情報の割当ての説明図である。
【図８】ＧｂＥインタフェース間情報の割当ての説明図である。
【図９】ＧｂＥインタフェース間情報の割当ての説明図である。
【図１０】ＧｂＥインタフェース間情報の伝送説明図である。
【図１１】コード化情報の説明図である。
【図１２】コード化情報の説明図である。
【図１３】ＧｂＥインタフェース間情報の割当ての説明図である。
【図１４】ＧｂＥインタフェース間情報の割当ての説明図である。
【図１５】ＧｂＥインタフェース間情報の伝送説明図である。
【図１６】コード化情報の説明図である。
【図１７】コード化情報の説明図である。
【図１８】本発明の更に他の実施の形態のＰＯＳ変換装置の説明図である。
【図１９】ＧｂＥインタフェース間情報の伝送説明図である。
【図２０】コード化情報の説明図である。
【図２１】コード化情報の説明図である。
【図２２】本発明の更に他の実施の形態のＰＯＳ変換装置の説明図である。
【図２３】ＧｂＥインタフェース間情報の割当ての説明図である。
【図２４】ＧｂＥインタフェース間情報の割当ての説明図である。
【図２５】ＧｂＥインタフェース間情報の伝送説明図である。
【図２６】コード化情報の説明図である。
【図２７】コード化情報の説明図である。
【図２８】ＧｂＥインタフェース間情報の割当ての説明図である。
【図２９】ＧｂＥインタフェース間情報の割当ての説明図である。
【図３０】ＰＯＳ方式の説明図である。
【図３１】ＳＯＮＥＴフレームの説明図である。
【符号の説明】
１，６　端末装置
２，５　インタフェース部（ＧｂＥＩＦ）
３，４　ＳＯＮＥＴインタフェース部（ＳＯＮＥＴＩＦ）
７，９　ＧｂＥインタフェース区間
８　ＳＯＮＥＴ中継伝送区間
１０　ＰＯＳ区間
１１　ＧｂＥ受信部
１２　ＧｂＥ送信部
１３　ＧｂＥＩＦ部
１４　ＰＯＳ変換部
１５　ＳＯＮＥＴＩＦ部
１６　ＳＯＮＥＴ送信部
１７　ＳＯＮＥＴ受信部
１８　ＧｂＥインタフェース情報コード処理部
１９　ＧｂＥインタフェース情報デコード処理部
【図１】
2004120502.tif 000003
【図２】
2004120502.tif 000004
【図３】
2004120502.tif 000005
【図４】
2004120502.tif 000006
【図５】
2004120502.tif 000007
【図６】
2004120502.tif 000008
【図７】
2004120502.tif 000009
【図８】
2004120502.tif 000010
【図９】
2004120502.tif 000011
【図１０】
2004120502.tif 000012
【図１１】
2004120502.tif 000013
【図１２】
2004120502.tif 000014
【図１３】
2004120502.tif 000015
【図１４】
2004120502.tif 000016
【図１５】
2004120502.tif 000017
【図１６】
2004120502.tif 000018
【図１７】
2004120502.tif 000019
【図１８】
2004120502.tif 000020
【図１９】
2004120502.tif 000021
【図２０】
2004120502.tif 000022
【図２１】
2004120502.tif 000023
【図２２】
2004120502.tif 000024
【図２３】
2004120502.tif 000025
【図２４】
2004120502.tif 000026
【図２５】
2004120502.tif 000027
【図２６】
2004120502.tif 000028
【図２７】
2004120502.tif 000029
【図２８】
2004120502.tif 000030
【図２９】
2004120502.tif 000031
【図３０】
2004120502.tif 000032
【図３１】
2004120502.tif 000033